(57)【特許請求の範囲】
【請求項１】
被取付物を設置面に対して昇降させるリフトロック装置であって、
被取付物に固定される取付部材と、
この取付部材に対して上下方向に移動可能に取り付けられた接地部材と、
取付部材に対して接地部材を上方へ移動させる方向に付勢する付勢部材と、
取付部材および接地部材の一方側において、取付部材に対する接地部材の移動を操作する第１の操作部材と、
取付部材および接地部材の他方側において、取付部材に対する接地部材の移動を操作する第２の操作部材と、
付勢部材の付勢力に抗して取付部材に対し接地部材を下方へ移動させた状態を保持する保持手段とを具備し、
第１の操作部材は、取付部材に回動可能に取り付けられ一部が接地部材に当接されたレバー部と、取付部材および接地部材の一方側に位置するようにレバー部に設けられた操作部とを有し、
第２の操作部材は、取付部材に回動可能に取り付けられ一部が接地部材に当接されたレバー部と、取付部材および接地部材の他方側に位置するようにレバー部に設けられた操作部とを有し、
取付部材に対して接地部材が上方へ移動した状態では、第１の操作部材および第２の操作部材のいずれか一方の操作部を押し下げレバー部を一方向に回動させることにより接地部材が取付部材に対して下方へ移動した状態になって被取付物が設置面から離間し、
接地部材が取付部材に対して下方へ移動した状態が保持手段にて保持され、
接地部材が取付部材に対して下方へ移動した状態では、第１の操作部材および第２の操作部材のうちのレバー部が一方向に回動している方の操作部を押し込んで保持手段による保持を解除することにより、付勢部材の付勢力で接地部材が取付部材に接近するように上方へ移動して被取付物が設置面に接触する
ことを特徴とするリフトロック装置。
【請求項２】
保持手段は、レバー部に設けられた係合部と、接地部材に設けられ被係合部とを有し、レバー部を一方向に回動させて係合部と被係合部とが係合されることにより、接地部材が取付部材に対して下方へ移動した状態を保持する
ことを特徴とする請求項１記載のリフトロック装置。
【発明の詳細な説明】
【技術分野】
【０００１】
本発明は、被取付物を設置面に対して昇降させるためのリフトロック装置に関する。
【背景技術】
【０００２】
従来、この種のリフトロック装置としては、接地部材を昇降操作する右レバー部材および左レバー部材がハンドル部材に接続され、ハンドル部材を下側に押動して右レバー部材および左レバー部材を一方向へ回動させることにより、接地部材が下降し、ハンドル部材を上側に押動して右レバー部材および左レバー部材を他方向へ回動させることにより、接地部材が上昇する構成のものが知られている（例えば、特許文献１参照。）。
【先行技術文献】
【特許文献】
【０００３】
【特許文献１】特開２０１１−１３９７７０号公報
【発明の概要】
【発明が解決しようとする課題】
【０００４】
しかしながら、上述の特許文献１の構成では、被取付物の片側でのみハンドル部材による操作が可能であり、比較的大きな被取付物に取り付けられた場合には、操作しにくい場合が考えられる。
【０００５】
また、接地部材を上昇させるには、例えば足のつま先や手の指等でハンドル部材を上側に押動し右レバー部材および左レバー部材を回動させる必要があるため、例えばパーテーション等のように下端部と設置面との隙間が比較的小さくなる被取付物に取り付けられた場合には、操作しにくい場合が考えられる。
【０００６】
本発明はこのような点に鑑みなされたもので、操作性を向上できるリフトロック装置を提供することを目的とする。
【課題を解決するための手段】
【０００７】
請求項１に記載されたリフトロック装置は、被取付物を設置面に対して昇降させるリフトロック装置であって、被取付物に固定される取付部材と、この取付部材に対して上下方向に移動可能に取り付けられた接地部材と、取付部材に対して接地部材を上方へ移動させる方向に付勢する付勢部材と、取付部材および接地部材の一方側において、取付部材に対する接地部材の移動を操作する第１の操作部材と、取付部材および接地部材の他方側において、取付部材に対する接地部材の移動を操作する第２の操作部材と、付勢部材の付勢力に抗して取付部材に対し接地部材を下方へ移動させた状態を保持する保持手段とを具備し、第１の操作部材は、取付部材に回動可能に取り付けられ一部が接地部材に当接されたレバー部と、取付部材および接地部材の一方側に位置するようにレバー部に設けられた操作部とを有し、第２の操作部材は、取付部材に回動可能に取り付けられ一部が接地部材に当接されたレバー部と、取付部材および接地部材の他方側に位置するようにレバー部に設けられた操作部とを有し、取付部材に対して接地部材が上方へ移動した状態では、第１の操作部材および第２の操作部材のいずれか一方の操作部を押し下げレバー部を一方向に回動させることにより接地部材が取付部材に対して下方へ移動した状態になって被取付物が設置面から離間し、接地部材が取付部材に対して下方へ移動した状態が保持手段にて保持され、接地部材が取付部材に対して下方へ移動した状態では、第１の操作部材および第２の操作部材のうちのレバー部が一方向に回動している方の操作部を押し込んで保持手段による保持を解除することにより、付勢部材の付勢力で接地部材が取付部材に接近するように上方へ移動して被取付物が設置面に接触するものである。
【０００８】
請求項２に記載されたリフトロック装置は、請求項１記載のリフトロック装置において、保持手段は、レバー部に設けられた係合部と、接地部材に設けられ被係合部とを有し、レバー部を一方向に回動させて係合部と被係合部とが係合されることにより、接地部材が取付部材に対して下方へ移動した状態を保持するものである。
【発明の効果】
【０００９】
本発明によれば、取付部材および接地部材における一方側にて取付部材に対する接地部材の移動を操作可能な第１の操作部材と、取付部材および接地部材における他方側にて取付部材に対する接地部材の移動を操作可能な第２の操作部材とを具備し、接地部材を取付部材に対して下方へ移動させる際、および、接地部材を取付部材に対して上方へ移動させる際のいずれも操作部を押し下げるように操作できるため、操作性を向上できる。
【図面の簡単な説明】
【００１０】
【図１】本発明の一実施の形態に係るリフトロック装置が被取付物に取り付けられた状態を示す斜視図である。
【図２】（ａ）は、被取付物に取り付けられたリフトロック装置の通常状態を示す側面図であり、（ｂ）は、被取付物に取り付けられたリフトロック装置のロック状態を示す側面図である。
【図３】リフトロック装置の構成を示す斜視図である。
【図４】同上リフトロック装置の分解した状態を示す斜視図である。
【図５】（ａ）は、リフトロック装置の通常状態を示す正面図であり、（ｂ）は、リフトロック装置のロック状態を示す正面図である。
【図６】（ａ）は、リフトロック装置の通常状態を示す背面図であり、（ｂ）は、リフトロック装置のロック状態を示す背面図である。
【図７】（ａ）は、リフトロック装置の通常状態を示す断面図であり、（ｂ）は、リフトロック装置のロック状態を示す断面図である。
【発明を実施するための形態】
【００１１】
以下、本発明の一実施の形態の構成について図面を参照しながら詳細に説明する。
【００１２】
図１において、１はリフトロック装置であり、このリフトロック装置１は、例えば下部にキャスター２が設けられたパーテーションの脚部等の被取付物３に取り付けられて、被取付物３をその設置面に対して昇降させて接離させる。
【００１３】
すなわち、図２（ａ）に示すように被取付物３のキャスター２が二点鎖線で示す設置面に接触した通常状態から、リフトロック装置１によって被取付物３を設置面から上昇させることにより、図２（ｂ）に示すようにキャスター２を設置面から離間させて、キャスター２をいわゆるロック状態にできる。
【００１４】
また、ロック状態では、リフトロック装置１による被取付物３を設置面に向かって下降させることにより、図２（ａ）に示すようにキャスター２が設置面に接触しロック状態が解除されて通常状態となる。
【００１５】
このようなリフトロック装置１は、図３および図４に示すように、被取付物３に固定される取付部材４に対して、接地部材５が上下方向に移動可能に組み付けられている。
【００１６】
また、取付部材４には、取付部材４および接地部材５の一方側において取付部材４に対する接地部材５の移動を操作する第１の操作部材６と、この第１の操作部材６とは反対側である取付部材４および接地部材５の他方側において取付部材４に対する接地部材５の移動を操作する第２の操作部材７が取り付けられている。
【００１７】
すなわち、リフトロック装置１は、第１の操作部材６および第２の操作部材７のうちのいずれかを操作することにより、図５（ａ）に示すように、取付部材４に対し接地部材５が接近するように上方へ移動して接地部材５が設置面から離間する通常状態と、図５（ｂ）に示すように、取付部材４に対し接地部材５が離間するように下方へ移動して接地部材５が設置面に接触するロック状態とに変更可能である。
【００１８】
また、取付部材４および接地部材５は、付勢手段としてのばね８により、取付部材４に対して接地部材５が上方へ移動する方向、すなわち取付部材４と接地部材５とが接近する方向に付勢されている。したがって、リフトロック装置１は、ロック状態から通常状態となるようにばね８にて付勢されている。
【００１９】
取付部材４は、被取付物３の取り付け箇所に固定される天面部11と、この天面部11の下側に一体に設けられた枠部12とを有している。
【００２０】
天面部11は、被取付物３の取り付け箇所の形状に対応するように、例えば長手方向および幅方向を有する矩形板状に成形される。
【００２１】
枠部12における一側、すなわち天面部11の幅方向の一方に対応する側には、第１の組付部13が設けられている。この第１の組付部13は、接地部材５が移動可能に組み付けられるとともに、組み付けられた接地部材５の移動方向をガイドする。
【００２２】
また、枠部12における他側、すなわち天面部11の幅方向の他方に対応する側には、第２の組付部14が設けられている。この第２の組付部14には、第１の操作部材６および第２の操作部材７が回動可能に組み付けられる。
【００２３】
第１の組付部13は、図４ないし図７に示すように、天面部11の下側面の幅方向の略中央において長手方向の全長にわたって設けられた板状の背面部15と、天面部11の下側面の長手方向の一端部において背面部15の一端部から天面部11の幅方向の一方側に設けられた板状の側面部16と、天面部11の下側面の長手方向の他端部において背面部15の他端部から天面部11の幅方向の一方側に設けられた板状の側面部17とを有している。
【００２４】
また、第１の組付部13は、図６に示すように、側面部16における背面部15とは反対側の端部の下側の一部から内側へ向かって突出した板状の突出片部18と、側面部17における背面部15とは反対側の端部の下側の一部から内側へ向かって突出した板状の突出片部19と、背面部15の下端部における中心に位置し第２の組付部14とは反対側へ突出してばね８の一端側を固定可能な板状の底面部20とを有している。
【００２５】
すなわち、第１の組付部13は、突出片部18と突出片部19とが離間し、側面部16の背面部15とは反対側の端部における突出片部18より上側と側面部17の背面部15とは反対側の端部における突出片部19より上側とが離間し、側面部16と底面部20とが離間し、側面部17と底面部20とが離間して、内部が空洞の略箱状に成形されている。
【００２６】
第２の組付部14は、背面部15の略中心部から天面部11の幅方向の他方側へ突出し第１の操作部材６および第２の操作部材７を軸支するためのボス21を有している。
【００２７】
ボス21は、図７に示すように、背面部15に一体に形成された円筒状の大径部22と、この大径部22の先端に設けられ外径が大径部22の外径より小径である円筒状の小径部23とを有している。
【００２８】
また、ボス21の内部には、大径部22から小径部23にわたって、ねじ24を螺着可能な雌ねじ部25が設けられている。
【００２９】
第２の組付部14には、背面部15から突出し、ボス21に軸支された第１の操作部材６および第２の操作部材７を支持する支持部26が設けられている。
【００３０】
この支持部26は、ボス21より天面部11における長手方向の外側に位置し天面部11に対して傾斜した傾斜面27aを有する外側支持部27と、これら外側支持部27間でボス21の上方に位置し円弧状の円弧面28aを有する内側支持部28とを有している。
【００３１】
接地部材５は、取付部材４に対して下方へ移動した状態にて下側面が設置面に接触する板状の底部31と、この底部31から上方に立設され第１の組付部13内で摺動可能な摺動部32とを有している。
【００３２】
底部31は、長手方向および幅方向を有する略矩形板状の基板部31aと、この基板部31aの下側に設けられ基板部31aより小さい略矩形板状の接地部31bとを有している。
【００３３】
また、基板部31aの上面には、長手方向の略中央において幅方向に沿って延びる凹状の被係合部としての係合溝部33が設けられている。
【００３４】
摺動部32は、第１の組付部13の内部の空洞部分の形状および大きさに対応した矩形板状の摺動天板部32aと、この摺動天板部32aの一端部側から下側へ一体に設けられた摺動側板部32bと、摺動天板部32aの他端側から下側へ一体に設けられた摺動側板部32cとを有している。
【００３５】
これら摺動側板部32bと摺動側板部32cとは互いに離間しており、この離間距離は、第１の組付部13における底部31の幅寸法に対応している。
【００３６】
摺動天板部32aの下側面における摺動側板部32bと摺動側板部32cとの間には、下側へ突出しばね８の他端側を固定可能な突出部34が設けられている。
【００３７】
そして、第１の組付部13に接地部材５が組み付けられた状態では、図６に示すように、摺動天板部32aが第１の組付部13の空洞内において底部31より上方に配置され、摺動部32の摺動側板部32bと摺動側板部32cとの間に第１の組付部13の底部31が配置されている。
【００３８】
また、図６（ａ）および図７（ａ）に示すように接地部材５が取付部材４に対して上方へ移動し底部31と摺動天板部32aとが離間した通常状態にて、ばね８の一端側が底部31に固定され、他端側が突出部34に固定されている。
【００３９】
そのため、図６（ｂ）および図７（ｂ）に示すように、接地部材５が取付部材４に対して下方で移動し底部31と摺動天板部32aとが接近したロック状態では、ばね８が収縮する。
【００４０】
すなわち、ロック状態では、取付部材４および接地部材５は、収縮したばね８の復元力により、底部31と摺動天板部32aとが離間し取付部材４に対して接地部材５が上方へ移動する方向に付勢され、通常状態となるように付勢されている。
【００４１】
第１の操作部材６および第２の操作部材７は、取付部材４に回動可能に取り付けられるレバー部41と、このレバー部41の先端に設けられた板状の操作部としての押圧部42とを有している。
【００４２】
なお、第１の操作部材６の押圧部42は、取付部材４および接地部材５の一方側に位置するようにレバー部41の先端に設けられ、第２の操作部材７の押圧部42は、取付部材４および接地部材５の他方側に位置するようにレバー部41の先端に設けられている。
【００４３】
レバー部41は、第２の組付部14に回動可能に軸支される軸支部43と、この軸支部43の先端側に一体に形成された当接部44とを有している。
【００４４】
軸支部43は、基端部45の外周面45aが内側支持部28の円弧面28aに倣った円弧状に形成されている。
【００４５】
また、軸支部43の基端部45より先端側に位置する先端部46は、図５（ａ）に示すように通常状態にて取付部材４の支持部26側となる一側面46aが外側支持部27の傾斜面27aに倣った形状に成形されている。
【００４６】
そして、図５（ａ）に示す通常状態では、基端部45の外周面45aが内側支持部28の円弧面28aに沿って配置され、かつ、先端部46の一側面46aが外側支持部27の傾斜面27aに沿って配置される。
【００４７】
また、通常状態からロック状態にするためにレバー部41を一方向へ回動させると、基端部45の外周面45aが内側支持部28の円弧面28aに沿って回動し、先端部46の一側面46aが外側支持部27の傾斜面27aから離間する。
【００４８】
基端部45の中心部には円形状に貫通した孔部47が設けられており、この孔部47は、軸方向の一方側に位置する大径部48と、軸方向の他方側に位置し大径部48より小径の小径部49とを有している。
【００４９】
大径部48は、内径がボス21の大径部22の外径およびねじ24の頭部より大径となっている。
【００５０】
小径部49は、内径がボス21の大径部22の外径およびねじ24の頭部より小径で、かつ、ボス21の小径部23の外径よりやや大径となっている。
【００５１】
そして、第２の操作部材７の大径部48の内部にボス21の大径部22が位置し、第２の操作部材７の小径部49の内部にボス21の小径部23が位置し、第１の操作部材６の小径部49の内部にボス21の小径部23が位置した状態にて、ねじ24がボス21の雌ねじ部25に螺着されることにより、第１の操作部材６および第２の操作部材７が取付部材４に回動可能に軸支される。
【００５２】
当接部44は、軸支部43から一体成形された基部51と、この基部51に対して屈曲するように一体成形された先端部52とを有しており、これら基部51と先端部52とで平面視で略Ｌ字状に構成されている。
【００５３】
基部51は、図５（ａ）に示すように通常状態において外側支持部27側となる一側面53の一部が、軸支部43から連続した傾斜状の上面53aを構成する。この上面53aは、通常状態において外側支持部27の傾斜面27aに倣った形状となっている。
【００５４】
また、基部51において一側面53とは反対側の他側面54は、一部が平坦に成形された平坦面54aを有しており、この平坦面54aが通常状態において接地部材５に当接する。
【００５５】
先端部52は、図５（ｂ）に示すロック状態にて接地部材５に当接する当接面55が平坦に成形されている。また、先端部52における通常状態で当接面55とは反対側である内側に位置する傾斜面56は、平面視で当接面55に対して傾斜状に成形されている。そして、このような先端部52の先端に押圧部42が固定して設けられている。
【００５６】
基部51の他側面54と先端部52の当接面55との間には、当接面55に対して凸状の係合部としての係合突起部57が設けられている。この係合突起部57は、レバー部41を一方向に回動させることにより接地部材５の係合溝部33と係合可能であり、係合溝部33と係合突起部57とが係合されることにより保持手段58が構成される。
【００５７】
そして、図５（ｂ）に示すようにレバー部41を一方向に回動させたロック状態では、レバー部41の当接面55が接地部材５の上面に当接するとともに、係合溝部33と係合突起部57とが係合して、接地部材５が取付部材４に対して下方へ移動したロック状態が保持される。
【００５８】
次に、上記一実施の形態の動作および作用等を説明する。
【００５９】
被取付物３に取り付けられ通常状態となっているリフトロック装置１をロック状態にする際には、第１の操作部材６および第２の操作部材７のうちのいずれか一方、例えば第１の操作部材６の押圧部42を、例えば手の指や足のつま先や指等で押し込む。
【００６０】
押圧部42を押し込むと、図５（ａ）および（ｂ）に示すように、当接部44が接地部材５の基板部31aに当接しながらレバー部41が一方向へ回動する。
【００６１】
レバー部41が一方向へ回動すると、当接部44が接地部材５の基板部31a上を摺動して、当接部44における当接面55が接地部材５の上面に当接するとともに、係合突起部57が係合溝部33に係合する。
【００６２】
このようなレバー部41の回動により、接地部材５は、ばね８の付勢力に抗して取付部材４に対して離間するように下方へ移動して、接地部材５の接地部31bが設置面に接触したロック状態となる。また、係合突起部57と係合溝部33との係合力により、接地部材５が取付部材４に対して下降した状態が保持される。
【００６３】
そして、接地部材５が設置面に接触することにより、被取付物３が設置面から上昇して離間し、キャスター２が設置面に対して作用しないロック状態となる。
【００６４】
一方、ロック状態から通常状態にする際には、第１の操作部材６および第２の操作部材７のうちのレバー部41が一方向に回動している方、すなわち図５（ｂ）における第１の操作部材６の押圧部42を、例えば手の指や足のつま先さらに一方向へやや押し込んで、レバー部41を一方向へやや回動させる。
【００６５】
ロック状態のレバー部41を一方向に回動させることにより、係合突起部57が係合溝部33を一方向側へ乗り越えるように移動して係合突起部57と係合溝部33との係合が解除される。
【００６６】
係合突起部57と係合溝部33との係合が解除されると、押圧部42を押圧する力を弱めることで、ばね８の付勢力によって、取付部材４と接地部材５とが接近するように取付部材４に対して接地部材５が上方に移動するとともに、レバー部41が一方向とは反対方向である他方向へ回動する。
【００６７】
また、接地部材５が取付部材４に対して上方へ移動することにより、被取付物３のキャスター２が設置面に接触した通常状態となる。
【００６８】
すなわち、リフトロック装置１は、通常状態からロック状態への切り換え操作およびロック状態から通常状態への切り換え操作のいずれも、押圧部42を押圧する動作で行える、いわゆるプッシュ・プッシュ式の構成である。
【００６９】
そして、上記リフトロック装置１によれば、取付部材４および接地部材５における一方側にて取付部材４に対する接地部材５の移動を操作可能な第１の操作部材６と、取付部材４および接地部材５における他方側にて取付部材４に対する接地部材５の移動を操作可能な第２の操作部材７とを備えているため、取付部材４および接地部材５の両側から取付部材４に対する接地部材５の移動を操作できる。
【００７０】
すなわち、例えばリフトロック装置１がパーテーション等のように反対側へのアクセスが遮られるような比較的大きな被取付物３に取り付けられた場合であっても、例えば特許文献１等のような片側のみで操作する構成のように操作するために被取付物３の反対側へ回り込む必要がなく、被取付物３の両側からリフトロック装置１による昇降を操作できるため、操作性を向上できる。
【００７１】
また、接地部材５を取付部材４に対して下方へ移動させてロック状態にする際、および、接地部材５を取付部材４に対して上方へ移動させて通常状態にする際のいずれも、押圧部42を押し下げるようにプッシュ・プッシュ式で操作できるため、例えばパーテーション等のように下端部と設置面との隙間が比較的小さい被取付物３であっても、被取付物３と設置面との隙間に手の指や足のつま先を引っ掛けて操作する必要がなく、押圧部42に対して力を作用させやすいので、操作性を向上できる。
【００７２】
したがって、比較的大きな被取付物３や設置面との隙間が比較的小さい被取付物３であっても、昇降操作する際の操作性が良好である。
【００７３】
保持手段58は、係合溝部33と係合突起部57とを有し、レバー部41を一方向に回動させて係合溝部33と係合突起部57とを係合させるだけで接地部材５が取付部材４に対して下方へ移動した状態を保持できるため、簡単な構成で設計できるとともに、操作が簡単である。
【００７４】
なお、上記一実施の形態では、第１の操作部材６と第２の操作部材７とは、取付部材４および接地部材５に対して互いに反対側に配置された構成としたが、このような構成には限定されず、取付部材４および接地部材５に対して互いに異なる方向に配置された構成であれば、想定される用途に応じて設計可能である。
【００７５】
保持手段58は、係合溝部33と係合突起部57とが係合することにより接地部材５が取付部材４に対して下方へ移動した状態を保持する構成としたが、このような構成には限定されず、ばね８の付勢に抗して接地部材５が取付部材４に対して下方へ移動した状態を保持できる構成であればよい。
【００７６】
レバー部41の先端に押圧部42が設けられた構成としたが、このような構成には限定されず、取付部材４および接地部材５の一方側または他方側で操作可能であれば、レバー部41に対する押圧部42の位置は適宜設計できる。
【符号の説明】
【００７７】
１    リフトロック装置
３    被取付物
４    取付部材
５    接地部材
６    第１の操作部材
７    第２の操作部材
８    付勢手段としてのばね
33    被係合部としての係合溝部
41    レバー部
42    操作部としての押圧部
57    係合部としての係合突起部
58    保持手段
【図１】
0006415340.tif 000002
【図２】
0006415340.tif 000003
【図３】
0006415340.tif 000004
【図４】
0006415340.tif 000005
【図５】
0006415340.tif 000006
【図６】
0006415340.tif 000007
【図７】
0006415340.tif 000008